(57)【要約】【課題】  解決しようとする課題は、Ｕピン杭を保持具によって打つ方向性を持たせ、Ｕピン杭を壊すことなく、地面に垂直に自立させ、作業員が立ったまま楽な姿勢で安全、且つ、簡単、迅速、的確にＵピン杭を効率的に打つことが出来るようにする。【解決手段】   楕円筒形状部材１の側面にＵピン杭６を横から挿入できるように、「図１」長手方向に挿入口２をスリット状又は半円筒状２aのように幅広く設ける、ストローク長を持った桿材３を設け、その桿材３上部にはグリップ４を取り付けてあり、下部にはＵピン杭頭の曲がりＲに沿った凹みを設け、衝打する重り５を装着して一体となっている、桿材３は楕円筒形状部材１の内径に自在に遊嵌するようになっている、使用時にはグリップ４を手で持ち挿入口２上部にまで引上げ、Ｕピン杭６を「図１」のように、挿入口２の横から挿入しグリップ４を下げてグリップ４を上下動させることで容易に打ち込み出来る。【選択図】  図１
2017212896.tif 000002
【特許請求の範囲】
【請求項１】
Ｕピン杭６の２辺側面をガイドする筒形形状にしたことを特徴とするＵピン杭打込具。
【請求項２】
Ｕピン杭頭の曲がりに沿った重りの凹みによって衝打することを特徴とするＵピン杭打込具。
【請求項３】
筒形状部材には長手方向横側面からＵピン杭６を挿入できるように挿入口２aを設けたことを特徴とする請求項１及び２記載のＵピン杭打込具。
【請求項４】
Ｕピン杭６を挿入できるように長手方向にスリット状の挿入口２を成したことを特徴とする請求項1〜３記載のＵピン杭打込具。
【発明の詳細な説明】
【技術分野】
【０００１】
本発明は、地面に打ち込む杭、特に、シート押え杭として用いるシート押え止め具を、地面に垂直に自立保持しＵピン杭打込具に関するものである。
【背景技術】
【０００２】
従来シート押え杭として用いる止め具は杭自体が短く杭を手でもって杭頭部をハンマーで地面に杭を打ち付けて、主に防草シート及びマルチシートを押え止めされている。
【０００３】
しかし、杭自体が短く膝を曲げての作業が多くハンマーを使用して杭を打つが、杭を打つ時に杭が地面の小石等に当たり変形し、支えている手が痛く又、杭頭がから外れる時があり、不安全で作業性が悪い、また、管型手動杭打器は大きなものしか使用出来ない、又、機械に取り付けて大掛かりなものでは、杭頭部が残り、比較的柔らかい土壌の場所しか使用出来ない。
【先行技術文献】
【特許文献】
【０００４】
【特許文献１】実用新案登録第３１２７７００号
【発明の概要】
【発明が解決しようとする課題】
【０００５】
解決しようとする問題点は、シートを止める、Ｕピン杭を保持具によって打つ方向性を持たせ、Ｕピン杭を壊すことなく、地面に垂直に自立させ真直ぐに、作業員が立ったまま楽な姿勢で安全、且つ、簡単、迅速、的確にＵピン杭を効率的に打つことが出来るようにすることを課題とする。
【課題を解決するための手段】
【０００６】
本発明に係るＵピン杭打込具は、上記の目的を達成するものであり、楕円筒形状部材１の側面にＵピン杭６を横から挿入できるように、「図１」長手方向に挿入口２をスリット状又は「図2」に示す半円筒状２aのように幅広く設ける、「図３」のようにストローク長を持った桿材３を設け、その桿材３上部にはグリップ４が取り付けてあり、下部にはＵピン杭頭の曲がりに沿った凹みを設け衝打する箇所に重り５を装着して一体とする、一体なっている桿材３は楕円筒形状部材１の内径よりも僅かに細く、自在に遊嵌するように取付けてある、使用時にはグリップ４を手で持ち挿入口２上部にまで引上げ、Ｕピン杭６を「図１」のように、挿入口２の横から挿入しグリップ４を持ち下げてグリップ４を上下動させることで容易に打ち込み出来るＵピン杭打込具。
【発明の効果】
【０００７】
本発明に係るＵピン杭打込具の第１の効果は、「図１」長手方向に挿入口２をスリット状に穴をあけたことによりＵピン杭６は容易に入るが、指先は入らないよう危険防止を備えている。
【０００８】
本発明に係るＵピン杭打込具の第２の効果は、楕円筒形状部材１はシートを止める場合Ｕピン杭６の股方向が回転して変わらないようにするために楕円筒形に設けたもので、Ｕピン杭２辺側面が通るレール状にガイドした物や、複数角筒形状１bにした物でもＵピン杭６が広い２辺を通過すれば同じ効果は生まれる、Ｕピン杭を楕円筒形状部材１内でスライドしながら幅広方向にＵピン杭２辺がガイドされるためＵピン杭６が楕円筒形状部材１内で回転を制御され且つ、ガイドによって地面に小石が混じっていてもＵピン杭が変形しにくい。
【０００９】
本発明に係るＵピン杭打込具の第３の効果は、その桿材３の頭部にはＵピン杭の曲がりに沿った凹みを設けた重り５を装着し、Ｕピン杭頭のＲに対し打撃力を効率よく伝えるようにＲ状に凹みを持たせているためＵピン杭が変形しにくく打撃力が増す。
【００１０】
本発明に係るＵピン杭打込具の第４の効果は、「図３」半円筒状２aのように開口部を大きく設け、広幅方向からのＵピン杭が挿入しやすいように施したことで、Ｕピン杭は基より一般の小さなシート止め杭が打ち込める。
【００１１】
作業員は手でもってＵピン杭を支えなくても筒形状部材１を地面に垂直に立て、立ったままの姿勢でグリップ４を手で持ち桿材３を挿入口２上部にまで引上げ、空いた挿入口にＵピン杭６を立ったままの姿勢で横から挿入してグリップ４を持ち下げて上下動させることで容易に打ち込み出来る。
【図面の簡単な説明】
【００１２】
【図１】Ｕピン杭打込具の全体説明図である。
【図２】筒形状部材１説明斜視図である。
【図３】筒形状部材１説明斜視図である。
【図４】多角筒形状にした説明斜視図である。
【図５】桿材３重り５説明拡大斜視図である。
【発明を実施するための形態】
【００１３】
以下本発明の実施形態１〜５図に基づいて説明する。
【実施例１】
【００１４】
Ｕピン杭打込具は、「図１」のように楕円筒形状部材１の側面にＵピン杭６を横から挿入できるように、長手方向に挿入口２をスリット状に指が入らないように細くしている方向から、挿入できるように設けている、「図３」ようにストローク長を持った桿材３上部にはグリップ４が取り付けてあり、下部にはＵピン杭頭の曲がりＲに沿った「図５」破断面図のように凹みを設け効率よく衝打するように重り５を装着して一体化されている、一体となっている桿材は楕円筒形状部材１の内径よりも僅かに細く、上下に自在に遊嵌するように内設している。
【００１５】
使用時には、楕円筒形状部材１の下部を位置に合わせ、楕円筒形状部材１の楕円筒幅広方向内面をＵピン杭２辺側面がガイドされてくるので、シート止めする向きと位置を合わせ楕円筒形状部材１を設置する、「図１」に示すようにグリップ４を手で持ち桿材下部の重り５が挿入口２の上部まで引上げ、Ｕピン杭６を、作業員は立ったまま楽な姿勢で、もう片方の手で腰袋からＵピン杭６を挿入口２の横から挿入すれば楕円筒幅広方向内面にセットされる、グリップ４を下げて上下動させることでＵピン杭が楕円筒形状部材１内で回転を制御され、方向性を持って的確に地面下に打ち込める。
【実施例２】
【００１６】
実施例２の特徴は、「図２」のように半円筒状２aのように開口部を大きく設け、Ｕピン杭６を広幅方向から挿入しやすいように施したことで、前記より安全性では劣るが、Ｕピン杭の他一般の小さなシート止め杭が打ち込める利点があり、実施例１と同じように地面下に打ち込める。
【００１７】
使用方法は前記と同じように、楕円筒形状部材１の下部をＵピン杭がガイドされてくる向きと位置を合わせ設置する、グリップ４を手で持ち重り５が挿入口２a上部にまで引上げ、Ｕピン杭６を「図２」のように、挿入口２aの横から幅広方向から挿入しその後グリップ４を持ち下げてグリップ４を上下動させることで容易にＵピン杭６及び一般の小さなシート止め杭が地面に打ち込める。
【実施例３】
【００１８】
実施例３の特徴は、使用方法は実施例１と変わりないが、「図４」に示す複数角筒形状１bにすることでＵピン杭６の幅広方向の２辺が内面角辺に沿ってレール状にガイドされるためＵピン杭６が１b内で回転を制御され、Ｕピン杭が変形しにくく方向性も保たれる。
【実施例４】
【００１９】
実施例４は初期の物で、真円筒形状部材で使用していた場合、次の問題が発生した、Ｕピン杭６の２辺がレール状にガイドされないのでＵピン杭は自由に内部で回動し方向性が保てなくシート止めの的確な打ち込みができない、又Ｕピン杭は捩れるように変形し易い。
【実施例５】
【００２０】
打込具の第３の特徴は、その桿材３の頭部には「図５」Ｕピン杭の曲がりに沿った凹みを設けた重り５を装着し、Ｕピン杭頭のＲに対し打撃力を効率よく伝えるようにＲ状に凹みを持たせているためロスが少なく打撃力が増し、また、Ｕピン杭頭は変形しにくい利点がある。
【００２１】
上記のことで、楕円筒形状部材１・複数角筒形状１b共に２辺がレール状にガイドされ、Ｕピン杭６が内部で回転を制御され、ガイド効果によって地面に小石が混じっていてもＵピン杭が変形しにくく方向性も保たれる。
【符号の説明】
【００２２】
１  楕円筒形状部材
２  挿入口
２a 挿入口
３  桿材
４  グリップ
５  重り
６  Ｕピン杭
【図１】
2017212896.tif 000003
【図２】
2017212896.tif 000004
【図３】
2017212896.tif 000005
【図４】
2017212896.tif 000006
【図５】
2017212896.tif 000007